(57)【要約】【課題】壁パネルと下地鋼材との間に所定の間隔を保つとともに、外壁パネルの位置決め機能を有し、さらにパネル当接部が壁パネルと弾性的に当接することで下地鋼材の精度に依存せず、均一にパネルを支持できる目地受け金具を提供すること。【解決手段】目地受用金具（１）は、壁パネル（１１）と下地鋼材（１０）との間に配置され、壁パネル（１１）と下地鋼材（１０）との間に所定の寸法を持った間隙を形成する目地受用金具であって、金属からなる板材が折り曲げられてなり、下地鋼材（１０）に当接する下地鋼材当接部（２）と、下地鋼材当接部（２）に対して、所定の高さで設けられた段差部と、壁パネル（１１）に当接するパネル当接部と、を有し、壁パネル（１１）からの正圧方向の力に対し、間隙の寸法を小さくすることができることを特徴とする。【選択図】図１
2019120121.tif 000002
【特許請求の範囲】
【請求項１】
壁パネル（１１）と下地鋼材（１０）との間に配置され、該壁パネル（１１）と該下地鋼材（１０）との間に所定の寸法を持った間隙を形成する目地受用金具（１）であって、
金属からなる板材が折り曲げられてなり、
下地鋼材（１０）に当接する下地鋼材当接部（２）と、
下地鋼材当接部（２）に対して、所定の高さで設けられた段差部と、
前記壁パネル（１１）に当接するパネル当接部と、を有し、
前記壁パネル（１１）からの正圧方向の力に対し、前記間隙の寸法を小さくすることができることを特徴とする、目地受用金具。
【請求項２】
壁パネル（１１）と下地鋼材（１０）との間に配置され、該壁パネル（１１）と該下地鋼材（１０）との間に所定の寸法を持った間隙を形成する目地受用金具（１）であって、
金属からなる板材が折り曲げられてなり、
下地鋼材（１０）に当接する下地鋼材当接部（２）と、
下地鋼材へ係止する下地鋼材係止部（７）と、を有し、
下地鋼材当接部（２）に対して、所定のギャップをもって配された別体の板状部材により、前記壁パネル（１１）に当接する上パネル当接部（５）および下パネル当接部（６）が前記間隙を形成することを特徴とする、目地受用金具。
【請求項３】
壁パネル（１１）と下地鋼材（１０）との間に配置され、該壁パネル（１１）と該下地鋼材（１０）との間に所定の寸法を持った間隙を形成する目地受用金具（１）であって、
金属からなる板材が折り曲げられてなり、
下地鋼材（１０）に当接する下地鋼材当接部（２）と、
下地鋼材当接部（２）に対して、所定の高さで設けられた段差部（３，４）と、
前記段差部（３，４）から延設され、前記壁パネル（１１）に当接する上パネル当接部（５）および下パネル当接部（６）と、
下地鋼材へ係止する下地鋼材係止部（７）と、を有し、
少なくとも前記下パネル当接部（６）が、前記壁パネル（１１）に当接することによって、前記壁パネル（１１）と前記下地鋼材（１０）との間に前記間隙を形成することを特徴とする、目地受用金具。
【請求項４】
前記下地鋼材当接部（２）と、前記段差部（３，４）との成す角度が、１０°〜８９°である、請求項１〜３のいずれか１項に記載の目地受用金具。
【請求項５】
前記板材の厚みが、０．６ｍｍ〜２．３ｍｍである、請求項１〜４のいずれか１項に記載の目地受用金具。
【請求項６】
前記下パネル当接部（６）のうち下方部が上方部より相対的に前記壁パネル（１１）側にせり出している、および／または、前記上パネル当接部（５）のうち上方部が下方部より相対的に前記壁パネル（１１）側にせり出している、請求項１〜５のいずれか１項に記載の目地受用金具。
【請求項７】
前記目地受用金具（１）の巾中央に、貫通穴、および／またはスリット（８）が設けられている、請求項１〜６のいずれか１項に記載の目地受用金具。
【請求項８】
前記壁パネル（１１）が、ＡＬＣパネルである、請求項１〜７のいずれか１項に記載の目地受用金具。
【請求項９】
建物躯体側の下地鋼材（１０）に壁パネル（１１）が取付けられてなる壁パネルの取付構造体であって、
前記下地鋼材（１０）に係止されるとともに、該下地鋼材（１０）と前記壁パネル（１１）との間に予め設定された寸法を有する間隙を形成する目地受用金具（１）を備え、
前記目地受用金具（１）は、上下に配された一対の前記壁パネル（１１Ａ，１１Ｂ）の目地（１２）部分に配されており、
パネル当接部（５，６）を有し、
上パネル当接部（５）が上側の前記壁パネル（１１Ａ）に当接し、下パネル当接部（６）が下側の前記壁パネル（１１Ｂ）に当接するとともに、
少なくとも上下どちらかの壁パネル短辺小口縁が、前記パネル当接部と当接しないように配されたことを特徴とする、壁パネルの取付構造体。
【請求項１０】
前記目地受用金具（１）が、請求項１〜８のいずれか１項に記載の目地受用金具である、請求項９に記載の壁パネルの取付構造体。
【発明の詳細な説明】
【技術分野】
【０００１】
本発明は、壁パネルを躯体に取付ける際に該壁パネルと下地鋼材との間に予め設定された寸法を持った間隙を形成する目地受用金具および壁パネルの取付構造体に関する。
【背景技術】
【０００２】
縦壁構法において、壁パネルと下地鋼材との間に所定間隔を形成する目地受用金具が配置され、目地受用金具は、壁パネルを固定的に支持することが一般的に実施されている（例えば特許文献１，２参照）。
この目地受け金具の固定的支持は、主に壁パネルの正圧（室外側から室内側へ作用する力）を建物の躯体へ伝達する役割がある。
【先行技術文献】
【特許文献】
【０００３】
【特許文献１】特許第３６５０１７６号公報
【特許文献２】特開平１１−１３１６６０号公報
【発明の概要】
【発明が解決しようとする課題】
【０００４】
しかしながら、上記文献に記載の技術では、壁パネルと下地鋼材間の所定寸法を、目地受け金具両端の折り曲げ寸法で固定的に確保している。そのため、下地鋼材の垂直片が室外側へ倒れた場合、下地鋼材垂直片の面に追従するように目地受け金具が固定されているので、壁パネル上下間の目地部に面外方向目違いが生じ、パネル壁面の建て入れ精度を出しづらい。
【０００５】
現場によっては、目地受け金具をパネル建て込み後に差し挟む（後入れ）ケースがある。従来の目地受け金具は、折り曲げ加工で形成した所定寸法が固定的であるため、後入れ時に目地受け金具底端がパネル裏面に引っ掛かり、作業性を悪くしていた。
【０００６】
パネルの巾方向両端に設置される目地受け金具は少なくとも２枚以上のパネルを支持する。従来の目地受け金具は、パネル支持面が固定的かつ一面で形成されているため、一方のパネルの影響を他方のパネルが受けてしまう。
【０００７】
また、現場では、上下左右に４面のパネルが突き合せられた目地部分に目地受け金具が設置されることが多く、パネル巾方向の中央部に配置されたパネル取付け用金具による所定寸法の支持もあるため、４面のパネルを均一に当接させることが難しい。
【０００８】
本発明は、このような従来の実情に鑑みて提案されたものであり、本発明の目的は、壁パネルと下地鋼材との間に所定の間隔を保つとともに、外壁パネルの位置決め機能を有し、さらにパネル当接部が壁パネルと弾性的に当接することで下地鋼材の精度に依存せず、均一にパネルを支持できる目地受け金具を提供することにある。
【課題を解決するための手段】
【０００９】
本発明者らは、鋭意検討をおこなった結果、下地鋼材当接部と壁パネル当接部とに弾性を付与することによって、本発明を解決できることに相当した。すなわち、本発明は以下のとおりである。
［１］
壁パネル（１１）と下地鋼材（１０）との間に配置され、該壁パネル（１１）と該下地鋼材（１０）との間に所定の寸法を持った間隙を形成する目地受用金具（１）であって、
金属からなる板材が折り曲げられてなり、
下地鋼材（１０）に当接する下地鋼材当接部（２）と、
下地鋼材当接部（２）に対して、所定の高さで設けられた段差部と、
前記壁パネル（１１）に当接するパネル当接部と、を有し、
前記壁パネル（１１）からの正圧方向の力に対し、前記間隙の寸法を小さくすることができることを特徴とする、目地受用金具。
［２］
壁パネル（１１）と下地鋼材（１０）との間に配置され、該壁パネル（１１）と該下地鋼材（１０）との間に所定の寸法を持った間隙を形成する目地受用金具（１）であって、
金属からなる板材が折り曲げられてなり、
下地鋼材（１０）に当接する下地鋼材当接部（２）と、
下地鋼材へ係止する下地鋼材係止部（７）と、を有し、
下地鋼材当接部（２）に対して、所定のギャップをもって配された別体の板状部材により、前記壁パネル（１１）に当接する上パネル当接部（５）および下パネル当接部（６）が前記間隙を形成することを特徴とする、目地受用金具。
［３］
壁パネル（１１）と下地鋼材（１０）との間に配置され、該壁パネル（１１）と該下地鋼材（１０）との間に所定の寸法を持った間隙を形成する目地受用金具（１）であって、
金属からなる板材が折り曲げられてなり、
下地鋼材（１０）に当接する下地鋼材当接部（２）と、
下地鋼材当接部（２）に対して、所定の高さで設けられた段差部（３，４）と、
前記段差部（３，４）から延設され、前記壁パネル（１１）に当接する上パネル当接部（５）および下パネル当接部（６）と、
下地鋼材へ係止する下地鋼材係止部（７）と、を有し、
少なくとも前記下パネル当接部（６）が、前記壁パネル（１１）に当接することによって、前記壁パネル（１１）と前記下地鋼材（１０）との間に前記間隙を形成することを特徴とする、目地受用金具。
［４］
前記下地鋼材当接部（２）と、前記段差部（３，４）との成す角度が、１０°〜８９°である、［１］〜［３］のいずれかに記載の目地受用金具。
［５］
前記板材の厚みが、０．６ｍｍ〜２．３ｍｍである、［１］〜［４］のいずれかに記載の目地受用金具。
［６］
前記下パネル当接部（６）のうち下方部が上方部より相対的に前記壁パネル（１１）側にせり出している、および／または、前記上パネル当接部（５）のうち上方部が下方部より相対的に前記壁パネル（１１）側にせり出している、［１］〜［５］のいずれかに記載の目地受用金具。
［７］
前記目地受用金具（１）の巾中央に、貫通穴、および／またはスリット（８）が設けられている、［１］〜［６］のいずれかに記載の目地受用金具。
［８］
前記壁パネル（１１）が、ＡＬＣパネルである、［１］〜［７］のいずれかに記載の目地受用金具。
［９］
建物躯体側の下地鋼材（１０）に壁パネル（１１）が取付けられてなる壁パネルの取付構造体であって、
前記下地鋼材（１０）に係止されるとともに、該下地鋼材（１０）と前記壁パネル（１１）との間に予め設定された寸法を有する間隙を形成する目地受用金具（１）を備え、
前記目地受用金具（１）は、上下に配された一対の前記壁パネル（１１Ａ，１１Ｂ）の目地（１２）部分に配されており、
パネル当接部（５，６）を有し、
上パネル当接部（５）が上側の前記壁パネル（１１Ａ）に当接し、下パネル当接部（６）が下側の前記壁パネル（１１Ｂ）に当接するとともに、
少なくとも上下どちらかの壁パネル短辺小口縁が、前記パネル当接部と当接しないように配されたことを特徴とする、壁パネルの取付構造体。
［１０］
前記目地受用金具（１）が、［１］〜［８］のいずれかに記載の目地受用金具である、［９］に記載の壁パネルの取付構造体。
【発明の効果】
【００１０】
本発明では、壁パネルと下地鋼材との間に所定の間隔を保つとともに、外壁パネルの位置決め機能を有し、さらにパネル当接部が壁パネルと弾性的に当接することで躯体や下地鋼材の施工精度に依存せず、均一にパネルを支持し、パネルの建入精度を向上できる目地受け金具およびパネル取付構造体を提供することができる。
【図面の簡単な説明】
【００１１】
【図１】本発明の目地受用金具の一構成例を示す斜視図である。
【図２】図１に示す目地受用金具の平面図、上面図および側面図である。
【図３】壁パネルの取り付け構造を示す一部分解斜視図である。
【図４】図１に示す目地受用金具を下地鋼材および壁パネルに取付けた状態を示す斜視図である。
【図５】図１に示す目地受用金具を下地鋼材および壁パネルに取付けた状態を示す側面図である。
【図６】目地受用金具が弾性変形する様子を模式的に示す図である。
【図７】目地受用金具の他の構成および取付け例を示す図である。
【図８】目地受用金具の他の構成および取付け例を示す図である。
【図９】目地受用金具の他の構成および取付け例を示す図である。
【図１０】目地受用金具の他の構成および取付け例を示す図である。
【図１１】目地受用金具の他の構成および取付け例を示す図である。
【図１２】目地受用金具の他の構成および取付け例を示す図である。
【図１３】目地受用金具の他の構成および取付け例を示す図である。
【図１４】目地受用金具の他の構成および取付け例を示す図である。
【図１５】目地受用金具の他の構成および取付け例を示す図である。
【図１６】目地受用金具の他の構成および取付け例を示す図である。
【図１７】目地受用金具の他の構成および取付け例を示す図である。
【図１８】目地受用金具の他の構成および取付け例を示す図である。
【図１９】目地受用金具の他の構成および取付け例を示す図である。
【図２０】目地受用金具の他の構成および取付け例を示す図である。
【図２１】目地受用金具の他の構成および取付け例を示す図である。
【図２２】目地受用金具の他の構成および取付け例を示す図である。
【図２３】目地受用金具の他の構成および取付け例を示す図である。
【図２４】目地受用金具の他の構成および取付け例を示す図である。
【発明を実施するための形態】
【００１２】
以下、本発明の実施の形態について、図面を参照しながら説明する。
図１は本発明の目地受用金具の一構成例を示す斜視図であり、図２は平面図、上面図および側面図である。
図３は、下地鋼材に壁パネルを取り付ける取付構造を説明する図である。また、図４は、図１に示す目地受用金具を下地鋼材および壁パネルに取付けた状態を示す斜視図であり、図５はその側面図である。
なお、以下の説明では、図１〜図５における上側を「上」とし、下側を「下」とする。また右側を「右」とし、左側を「左」とする。そして後掲する図６〜図２４においても同様である。
【００１３】
目地受用金具は、壁パネル１１の両側であって少なくとも上下方向で隣接する２枚の壁パネル１１（１１Ａ，１１Ｂ）に対向して配置され、下地鋼材１０の垂直片１０ａに係止されて該垂直片１０ａと壁パネル１１との間隙を保持するものである。
目地受用金具１は、金属からなる板材が主に上下方向に折り曲げられてなり、下地鋼材（１０）に当接する下地鋼材当接部（２）と、下地鋼材当接部（２）に対して、所定の高さで設けられた段差部（３，４）と、壁パネル（１１）に当接するパネル当接部（５，６）と、を有し、壁パネル（１１）からの正圧方向の力に対し、間隙の寸法を小さくすることができることを特徴とする。
【００１４】
このとき、下地鋼材係止部７は、図１に示すように、上パネル当接部５の段差部３とは反対側の端部から、下地鋼材当接部２側に戻るように折り曲げられて設けられていることが好ましい。上パネル当接部５の上端から下地鋼材係止部７が形成されることで、踏付け強度が大きくなり、下地鋼材１０に目地受用金具１Ａ（１）を取り付けた後、上から踏付けても金具が曲がることがない。
【００１５】
また、下地鋼材係止部７は、後掲する図７（目地受用金具１Ｂ（１））に示すように、上パネル当接部５の略中央部から、下地鋼材当接部２側に戻るように折り曲げられて設けられていることが好ましい。プレス成型時に片側からのプレスで下地鋼材係止部７を成型することができ、成型工程を簡略化することができる。
【００１６】
さらに、下地鋼材係止部７は、後掲する図１０（目地受用金具１Ｅ（１））に示すように、下地鋼材当接部２から下地鋼材１０を挟持するように折り曲げられて設けられていることが好ましい。パネル当接部５，６と下地鋼材係止部７が延設されていないので、パネルに作用する正圧に対して下地鋼材係止部７が動かない。
【００１７】
そして、目地受用金具１Ａ（１）は、下地鋼材当接部２と下地鋼材係止部７との間で、下地鋼材１０を厚み方向に挟持することによって、目地受用金具１を前記下地鋼材１０に係止するとともに、少なくとも下パネル当接部６が、壁パネル１１に当接することによって、壁パネル１１と下地鋼材１０との間に間隙を形成する。
なお、通常、下パネル当接部６だけではなく上パネル当接部５も壁パネル１１に当接している。そして、壁パネル１１と下地鋼材１０との間の間隙を決定するのは主に下パネル当接部６であり、上パネル当接部５は主にその間隙を保持する。
【００１８】
本発明の目地受用金具１Ａ（１）では、壁パネル１１と下地鋼材１０との間に所定の間隔を保つとともに、壁パネル１１の位置決め機能を有し、さらにパネル当接部５，６が壁パネル１１と弾性的に当接することで、壁パネル（１１）からの正圧方向の力に対し、間隙の寸法を小さくすることができる。これにより下地鋼材１０の取付け精度に依存せず、均一にパネルを支持することができる。
【００１９】
下地鋼材１０に当接する下地鋼材当接部２は、下地鋼材１０の垂直片１０ａの室外側の面と当接して該面の位置を拘束する機能を有する。
【００２０】
下地鋼材当接部２の上下方向の両端に、段差部３，４が形成されている。
段差部３，４は、一方が下地鋼材当接部２に接続し、他方がパネル当接部５，６にそれぞれ接続し、下地鋼材当接部２とパネル当接部５，６との間に所定の高さで段差を形成している。
【００２１】
この段差部３，４は、下地鋼材当接部２とパネル当接部５，６の間隔、すなわち下地鋼材１０と壁パネル１１との間隔を、所定の設定寸法ｔに保持する機能を有する。
図２および図５に示すように、下地鋼材１０と壁パネル１１との間隔の寸法をｔ、段差部３，４の高さをｔ１、板材の厚さをｔ２とすると、
ｔ＝ｔ１＋ｔ２
の関係を満たすように、段差部３，４の高さｔ１が決定される。
【００２２】
このとき、段差部３，４は、下地鋼材当接部２およびパネル当接部５，６に対して略垂直に設けられていてもよいが、斜めに設けられていることが好ましい。
段差部３，４が、下地鋼材当接部２に対して垂直ではなく、斜めに形成されることにより、上パネル当接部５および下パネル当接部６が、それぞれ、下地鋼材当接部２に対して弾性変形する（撓む）ことが可能となり、上パネル当接部５および下パネル当接部６が、それぞれ、下地鋼材当接部２に対して弾性を有し板バネ様の機能を有するものとなる。すなわち、壁パネル１１からの正圧方向の力に対し、間隙の寸法を小さくすることができる。これにより、目地受用金具１Ａ（１）は、壁パネル１１を下地鋼材１０に対して弾性的に支持することが可能となる。弾性的に支持することにより、パネルの面外方向への歪みを吸収して、壁パネル１１を均一に支持できる（図６参照）。
【００２３】
壁パネル１１の上部には、壁パネル１１を下地鋼材１０に取り付けるための取付金物（図示略）と、壁パネル１１の両端にそれぞれ目地受用金具１Ａ（１）が配される。また、壁パネル１１の下部には、壁パネル１１を下地鋼材１０に取り付けるための取付金物（図示略）と、壁パネル１１の両端に２つの目地受用金具１Ａ（１）が配される。
このように、本実施の形態にかかる取付構造体では、下地鋼材１０と壁パネル１１との間に所定の間隙を形成する３点の取付金具について、弾性機能を有する目地受用金具１Ａ（１）により、均一に壁パネル１１を支持することができる。
【００２４】
なお、段差部３，４は、両方とも、下地鋼材当接部２およびパネル当接部５，６に対して略垂直ではなく斜めに設けられていることが好ましいが、片方だけも壁パネル１１を弾性支持することは可能であるため、本発明の効果を得ることはできる。
【００２５】
下地鋼材当接部２と、前記段差部３，４との成す角度が、１０°以上８９°以下であることが好ましく、４５°以上８５°以下であることがより好ましい。
これにより、目地受用金具１Ａ（１）は、壁パネル１１を下地鋼材１０に対してより弾性的に支持することが可能となる。
【００２６】
特に、前記角度を４５°以上とすることで、壁パネル１１の正圧に対し、剛性を保持しつつ板厚を抑制でき、目地受用金具１Ａ（１）の重量及びコストを削減できる。なお、角度が小さくなると、剛性を確保するために板厚を大きくしなければならなくなる。また、８５°以下とすることで、正圧に対する支持力を保持し、かつ、目地受用金具１Ａ（１）の成型時に、プレス機による金具の負担を軽減し、効率よく生産できる。
【００２７】
なお、下地鋼材当接部２と段差部３，４との成す角度は、上パネル当接部５側（段差部３）と下パネル当接部６側（段差部４）とで同じであってもよいし、異なっていてもよいが、力を分散させて壁パネル１１を均一に支持する観点からは、同じであることが好ましい。
角度が双方で異なる場合であっても、段差部３，４としての高さは均一である必要がある。すなわち、上パネル当接部５と下パネル当接部６とは、略同一平面上にある。
【００２８】
上パネル当接部５は、一方の段差部３から上側に延設される。下パネル当接部６は、他方の段差部４から下側に向けて延設される。これら上パネル当接部５および下パネル当接部６は、下地鋼材当接部２に対し所定の間隙を有するように設けられる。また、上パネル当接部５および下パネル当接部６との間に所定のギャップＧをもって配されていると好ましい（図５参照）。ギャップＧがあることで、壁パネル１１の短辺小口縁１１ｂを避けて壁パネル１１と当接しやすくできる。
上パネル当接部５および下パネル当接部６は、それぞれ壁パネル１１の室内側の面に当接することにより、壁パネル１１の表面を支持拘束する。
【００２９】
下地鋼材係止部７は、上パネル当接部５から延びる片を下地鋼材当接部２側に戻るように、下地鋼材当接部２に向けて、下方に折り曲げて形成されている。このとき、下地鋼材係止部７と上パネル当接部５の裏面（下地鋼材側の面）とのなす角を鋭角或いは直角とし、下地鋼材係止部７を下方に折り曲げる角度を直角または鈍角とすることで、下地鋼材係止部７の垂直片１０ａと嵌合する部分をフック状に形成することが好ましい。
【００３０】
また、下地鋼材当接部２と下地鋼材係止部７との間に、下地鋼材１０の垂直片１０ａの厚さとほぼ同じ間隙を形成するように形成されている。
下地鋼材係止部７は、下地鋼材１０の室内側の面と当接して、目地受用金具１Ａ（１）を下地鋼材１０に係止する機能を有する。
【００３１】
このような目地受用金具１Ａ（１）は、金属製の板材を主に上下方向に折り曲げることにより形成される。
板材の厚みは、０．６ｍｍ以上２．３ｍｍ以下であることが好ましく、１．２ｍｍ以上１．６ｍｍ以下であることがより好ましい。目地受用金具１Ａ（１）を構成する板材の厚みを上記範囲とすることで、壁パネル１１を支持するのに十分な剛性を維持しつつ、適度な弾性も有するものとなり、壁パネル１１を下地鋼材１０に対してより弾性的に支持することが可能となる。
板材が厚すぎると、高い剛性を有する一方で、変形した際の復元力が十分ではなく弾性が不足し、壁パネル１１を下地鋼材１０に対して弾性的に支持することが困難になる。また板材を折り曲げ加工して目地受用金具１Ａ（１）を作製する際の工程が困難になる。板材が薄すぎると、弾性は十分である一方で剛性が不足してしまう。
【００３２】
特に、板材の厚みを１．２ｍｍ以上とすることで、壁パネル１１からの正圧方向の力（押圧）に対し、目地受け金具が一定の剛性を確保しやすく、所望の荷重負担を容易にし、パネル取付金具へ作用する荷重を軽減することができる。また、板材の厚みが大きいと、弾性を得るためには角度を緩くする必要がある。つまり見附面積の増大に繋がる。そこで１．６ｍｍ以下とすることで、剛性弾性を確保しつつ、金具の見附面積低減を容易にし、金具の重量低減ならびにコスト低減することができる。
【００３３】
図３は、下地鋼材に壁パネルを取り付ける取付構造を説明する図である。図４は、上述したような目地受用金具１Ａ（１）を用いた、壁パネルの取付構造体を室外側から見た斜視図であり、図５はその側面図である。
すなわち、本実施形態の取付構造体は、建物躯体側の下地鋼材１０に壁パネル１１が取付けられてなる壁パネルの取付構造体であって、下地鋼材１０に係止されるとともに、下地鋼材１０と壁パネル１１との間に予め設定された間隙を形成する目地受用金具１Ａ（１）を備える。
【００３４】
図３〜図５に示すように、建物の躯体を構成する梁１３の上フランジ１３ａにアングル材からなる下地鋼材１０が配置され、下地鋼材１０の垂直片１０ａの位置を上フランジ１３ａの室外側の端部からの張り出し長さを予め設定された値に調整した後、水平片１０ｂを上フランジ１３ａに溶接することで固定されている。
【００３５】
下地鋼材１０の室外側には複数の壁パネル１１が連設されており、夫々の壁パネル１１は、下端が自重受け金物１４に載置されて支持され、且つ下地鋼材１０との間に目地受用金具１Ａ（１）を介在させることで、壁パネル１１と下地鋼材１０との間隙を予め設定された寸法（設定寸法ｔ）に保持し、この状態で壁パネル１１の上部は、ボルトで取り付けられたイナズマ型のプレートを介して下地鋼材１０の垂直片１０ａに取付けられている。
【００３６】
目地受用金具１Ａ（１）は、図５に示すように、下地鋼材１０の垂直片１０ａの上方から差し込み、下地鋼材係止部７を垂直片１０ａに嵌合させることで係止され、且つ下地鋼材係止部７及び下地鋼材当接部２が垂直片１０ａに当接する。
【００３７】
すなわち、下地鋼材当接部２は、下地鋼材１０の垂直片１０ａの室外側の面と当接し、下地鋼材係止部７は、垂直片１０ａの室内側の面と当接して、これら下地鋼材係止部７と下地鋼材当接部２とによって、垂直片１０ａを挟み込むように取付けられる。
【００３８】
このとき、下地鋼材当接部２と下地鋼材係止部７との間の間隙の寸法が、下地鋼材１０の垂直片１０ａの厚さとほぼ同じとされているので、垂直片１０ａを下地鋼材当接部２と下地鋼材係止部７とでしっかりと挟み込んで、取付け後もずれたりすることなく、目地受用金具１Ａ（１）を下地鋼材１０に係止することができる。
【００３９】
そして目地受用金具１Ａ（１）が下地鋼材１０に取付けられたとき、下地鋼材１０の垂直片１０ａと目地受用金具１Ａ（１）のパネル当接部５，６との距離は、段差部３，４の高さである設定寸法ｔと等しくなり、壁パネル１１の室内側の面をパネル当接部５，６に当接させて取付けることで、壁パネル１１と下地鋼材１０との間隙を予め設定された寸法ｔに保持することが可能である。
【００４０】
また、目地受用金具１Ａ（１）は、下地鋼材１０に取付けるに際し、上パネル当接部５から延びて形成された下地鋼材係止部７によって垂直片１０ａを嵌合して取付けるので、下地鋼材１０の垂直片１０ａの室内側に大きな隙間を確保する必要がなく、梁に柱が配置されているような場合であっても、下地鋼材１０に特別な加工を施すことなく容易に取付けることができる。
【００４１】
目地受用金具１Ａ（１）は、上パネル当接部５と下パネル当接部６が、間に所定のギャップＧをもって配されており、上下に配された一対の壁パネル１１の目地１２の部分に配され、上パネル当接部５が、上側の壁パネル１１（上パネル１１Ａ）に当接し、下パネル当接部６が、下側の壁パネル１１（下パネル１１Ｂ）に当接するように取付けられる。
上パネル当接部５で上パネル１１Ａを支持し、下パネル当接部６が下パネル１１Ｂを支持することで、上パネル１１Ａと下パネル１１Ｂの突合せ部分における面外方向の目違いを吸収することができ、壁パネル１１を均一に支持することができる。
【００４２】
このとき、目地受用金具１Ａ（１）の巾中央に貫通穴８が設けられているので、目地受用金具１Ａ（１）を下地鋼材１０および壁パネル１１に取付ける際に、この貫通穴８を観察穴として、下地鋼材１０の垂直片１０ａの水平墨や割付墨、また上パネル１１Ａと下パネル１１Ｂとの突合せ部分である目地１２を確認し位置合わせしながら、目地受用金具１Ａ（１）を壁パネル１１に対して位置決めすることができる。
これにより、より正確な取付けを行うことができるとともに、作業をより行いやすくすることができる。貫通穴８は、スリットでもよい。また貫通穴、および／またはスリットは複数あってもよい。
【００４３】
目地受用金具１Ａ（１）に上パネル当接部５と下パネル当接部６の間に配された所定のギャップＧが、目地１２の部分と対向して取り付けられる。なお、目地受用金具１Ａ（１）が壁パネル１１の短辺小口縁１１ｂに当接しないように、短辺小口縁１１ｂから少し離した位置、例えば３ｍｍ程度以上離した位置に当接されると好ましい。目地１２の短辺小口縁１１ｂに当接しないように目地受用金具１Ａ（１）を配することで、地震などで躯体が変形した場合でもパネルに微細な割れや欠けが発生しにくくなる。
また、下パネル当接部６は壁パネル１１の短辺小口縁１１ｂから離して配されることが好ましい。パネル製造誤差により下パネル１１Ｂのパネル長さが若干短かい場合でも、下パネル当接部６と下パネル１１Ｂとの当接面積を確保して正圧に対する支持力を保持しやすくなる。
なお、上下のパネル当接部５，６を、ともに短辺小口縁１１ｂから離して配されることが好ましいのは言うまでもない。
【００４４】
ここで、壁パネル１１の短辺の角部の形状は特に限定されるものではなく、尖ったピン角の場合や、施工上の都合により３ｍｍ〜１０ｍｍ程度の面取り部分１１ａが設けられる場合があるが、その面取りの有無や形状および寸法は問わない。
【００４５】
本実施形態の目地受用金具１Ａ（１）は、上パネル１１Ａと下パネル１１Ｂとの目地だけではなく、上下左右に４枚の壁パネルが突き合わされた目地部分に配されてもよい。
【００４６】
本発明の目地受用金具１Ａ（１）によって支持される壁パネル１１は、ＡＬＣ（Autoclaved Lightweight aerated Concrete）パネルであることが好ましい。
ＡＬＣパネルは母材強度が比較的に低く、扱いによっては外周部で割れ欠けが発生しやすい材料ではあるが、本実施形態の目地受用金具１Ａ（１）で弾性的に支持することで躯体や下地鋼材１０の施工精度の影響や地震などで躯体が変形した場合でもパネルに微細な割れや欠けが発生しにくくできる。
【００４７】
以上説明したように本発明に係る壁パネルの取付構造体では、下地鋼材係止部７を下地鋼材１０の垂直片１０ａに係止することで目地受用金具１Ａ（１）を下地鋼材１０に取付けると共に、パネル当接部５，６をそれぞれ壁パネル１１に当接させることで、パネル当接部５，６と下地鋼材１０との間隔を予め設定された間隙と等しい寸法に保持することができる。このため、壁パネル１１をパネル当接部５，６に接触させて取付けたとき、該パネルと下地鋼材１０の間隙を予め設定された値に保持することができ、壁パネル１１が位置決めされる。
【００４８】
そして特に、本発明に係る壁パネル１１の取付構造体では、段差部３，４が、下地鋼材当接部２に対して垂直ではなく、斜めに形成されることにより、図６に示すように、パネル面外方向への外力が加わった際に、パネル当接部５，６が下地鋼材当接部２に対して弾性変形し、上パネル当接部５および下パネル当接部６が、それぞれ、下地鋼材当接部２に対して弾性を有し板バネ様の機能を有するものとなる。これにより壁パネル１１を下地鋼材１０に対して弾性的に支持することが可能となる。壁パネル１１を弾性的に支持することにより、壁パネル１１からの正圧方向の力に対し、間隙の寸法を小さくすることができ、パネルの面外方向への歪みを吸収して、壁パネル１１を均一に支持できる。また、下地鋼材１０の施工精度に依存しないため、パネルの面外方向の目違いを吸収できる。
【００４９】
図７〜図２４は、本発明の目地受用金具の他の構成例およびその取付け構造を示す図である。
図７〜図２４に示す目地受用金具１Ｂ〜１Ｑ（１）は、基本的には上述した実施形態の目地受用金具１Ａ（１）とほぼ同様の構造を有して構成されている。
以下では、目地受用金具１Ａ（１）と異なる構成の部分について主に説明する。
【００５０】
上述した実施形態では、下地鋼材当接部２およびパネル当接部５，６は、それぞれ、下地鋼材１０および壁パネル１１と面で当接するものであったが、本発明はこれに限定されず、下地鋼材当接部２および壁パネル当接部５，６は、点で当接するものであってもよい。
【００５１】
図７に示す目地受用金具１Ｂ（１）、図８に示す目地受用金具１Ｃ（１）では、下地鋼材当接部２が、円錐状の突起２ａを有し、突起２ａで下地鋼材１０と接している。下地鋼材当接部２を、円錐窪みの頂点部とすることで、製造上の板材の曲げ加工の負担を少なくすることができる。
【００５２】
また、図９に示す目地受用金具１Ｄ（１）では、パネル当接部５，６が、円錐状の突起５ａ，６ａを有している。上パネル当接部５が、左右方向に配された２つの突起５ａを有し、下パネル当接部６が、左右方向に配された２つの突起６ａを有している。上下左右に配された４枚の壁パネル１１の目地部分に目地受用金具１Ｃ（１）が配される場合に、４枚の壁パネル１１に対し４つの突起５ａ，６ａのそれぞれで当接することにより、より安定してパネルを支持することができる。
【００５３】
また、図１０に示す目地受用金具１Ｅ（１）では、パネル当接部において、上パネル当接部５を、左右で２つに分割して設け、下パネル当接部６を、左右で２つに分割して設けている（下パネル当接部６Ａ，６Ｂ）。即ち、目地受用金具１Ｅ（１）の左右方向の上部中央に、下地鋼材係止部７が形成されており、該下地鋼材係止部７の両側に、上パネル当接部５Ａ，５Ｂが形成されている。
上下左右に配された４枚の壁パネル１１の目地部分に目地受用金具１Ｅ（１）が配される場合に、４枚の壁パネル１１に対し４つのパネル当接部５Ａ，５Ｂ，６Ａ，６Ｂのそれぞれで当接することにより、より安定してパネルを支持することができる。
【００５４】
また、図１１に示す目地受用金具１Ｆ（１）では、下パネル当接部６の下端部が、該下パネル当接部６に対して略垂直に折り曲げられて折曲片９とされ、折曲片９の端部が、下地鋼材１０に当接している。
この場合、下パネル当接部６は、折曲片９があるため下地鋼材当接部２に対して弾性変形しないが、上パネル当接部５が、下地鋼材当接部２に対して弾性変形することにより、本発明の効果を得ることができる。
折曲片９が、壁パネル１１と下地鋼材１０との間に略垂直に当接していることで、壁パネル１１と下地鋼材１０との間隔の寸法を一定に保つことができる。
【００５５】
また、図１２に示す目地受用金具１Ｇ（１）では、上パネル当接部５の一部が折り曲げられることにより、該上パネル当接部５の左右方向に２つの下地鋼材係止部７Ａ，７Ｂが設けられている。
この目地受用金具１Ｆ（１）を、そのまま下地鋼材１０の垂直片１０ａに嵌合させて係止させて用いてもよいが、１つの目地受用金具１Ｆ（１）を中央で分割して用いることもできる。左右に配された壁パネル１１の目地部分に、分割した２つの金具をそれぞれ配して用いられることができる。
【００５６】
また、図１３に示す目地受用金具１Ｈ（１）では、左右で２つに分割して設けられた上パネル当接部５（上パネル当接部５Ａ，５Ｂ）および下パネル当接部６（下パネル当接部６Ａ，６Ｂ）が、下地鋼材当接部２に対して横方向に延びて設けられている。そして、下地鋼材当接部２は、上パネル当接部５Ａと下パネル当接部６Ａとの間、および上パネル当接部５Ａと下パネル当接部６Ｂとの間に、横方向に延びて設けられている。
上下左右に配された４枚の壁パネル１１の目地部分に目地受用金具１Ｈ（１）が配される場合に、４枚の壁パネル１１に対し４つのパネル当接部５Ａ，５Ｂ，６Ａ，６Ｂのそれぞれで当接することにより、より安定してパネルを支持することができる。
【００５７】
また、図１４に示す目地受用金具１Ｉ（１）では、上パネル当接部５と下パネル当接部６との間で、下地鋼材１０側に凸となるように、板材が横方向で断面「く」の字形状に折り曲げられ、下地鋼材当接部２が、その折り曲げ線部分で、下地鋼材１０に当接している。
【００５８】
また、図１５に示す目地受用金具１Ｊ（１）では、上パネル当接部５と下パネル当接部６との間で、下地鋼材１０側に凸となるように、板材が横方向で断面円弧状に折り曲げられ、下地鋼材当接部２が、その円弧の頂点部分で、下地鋼材１０に当接している。
【００５９】
また、図１６に示す目地受用金具１Ｋ（１）では、板材の下端部において下地鋼材１０側に凸となるように、板材が断面「く」の字形状に折り曲げられ、下地鋼材当接部２が、その折り曲げ線部分で、下地鋼材１０に当接している。また、上パネル当接部５と下パネル当接部６とが、連続して一体的に形成されている。
【００６０】
また、図１７に示す目地受用金具１Ｌ（１）では、上パネル当接部５と下パネル当接部６とが、連続して一体的に形成されている。そして、上パネル当接部５および下パネル当接部６の中央部分の板材が舌片状にくりぬかれて舌片２２とされ、その一端側（上端側）は上パネル当接部５に接続した状態で、下地鋼材１０側に斜めに折り曲げられ、他端側が下地鋼材当接部２とされている。この実施形態では、舌片２２が下地鋼材当接部２に対して斜めに形成されており、段差部３に相当する。
なお、図１７では、舌片２２が上端側で上パネル当接部５に接続している場合を例にあげたが、舌片２２が下端側で下パネル当接部６に接続しているものであってもよい。また、舌片２２は左右方向に２つ配されていてもよい。その場合、２つの舌片２２の向き（くりぬき方向、折り曲げ方向）は同じでも異なっていてもよい。舌片２２は上下方向にくりぬかれたものではなく、左右方向にくりぬかれたものであってもよい。また、舌片２２が円弧状に曲げられたものであってもよい。
【００６１】
また、図１８に示す目地受用金具１Ｍ（１）では、上パネル当接部５と下パネル当接部６とが、連続して一体的に形成されている。そして、上パネル当接部５および下パネル当接部６の中央部分の板材に上下方向に２本の切込みが入れられ、両端が上パネル当接部５および下パネル当接部６に接続した状態で、下地鋼材側に凸に円弧状に曲げられ、該円弧の頂点部分が下地鋼材当接部２とされている。
なお、図１８では、切込みが上下方向に入れられている場合を例にあげたが、切込みが左右方向に入れられているものであってもよい。また、板材が円弧状ではなく「く」の字形状に折り曲げられたものであってもよい。
【００６２】
また、図１９に示す目地受用金具１Ｎ（１）では、上パネル当接部５と下パネル当接部６との間の板材が、下地鋼材１０側に凸となるように折り曲げられ、さらに左右の両端部が舌片状に下地鋼材１０側に凸となるように折り曲げられ、その端部が下地鋼材当接部２とされている。
なお、図１９では、板材が角度を有して折り曲げられている場合を例にあげたが、円弧状に曲げられたものであってもよい。
【００６３】
また、図２０に示す目地受用金具１Ｏ（１）では、上パネル当接部５と下パネル当接部６とが、連続して一体的に形成されている。そして、上パネル当接部５と下パネル当接部６の部分の板材が、左右方向の２か所において、一端側（下端側）が下パネル当接部６に接続した状態で舌片状にくりぬかれて舌片２３とされている。そして、該舌片２３が、下地鋼材１０側に凸となるように、板材が断面「く」の字形状に折り曲げられ、その折り曲げ線部分が、下地鋼材当接部２とされている。この実施形態では、舌片２３が下地鋼材当接部２に対して斜めに形成されており、段差部４に相当する。
【００６４】
また、図２１に示す目地受用金具１Ｐ（１）は、下地鋼材１０に当接する下地鋼材当接部２と、下地鋼材へ係止する下地鋼材係止部７とを有し、下地鋼材当接部２に対して、所定のギャップＧをもって上下に配された別体の板状部材２０，２１により、壁パネル１１に当接する上パネル当接部５および下パネル当接部６が間隙を形成する。板状部材２０，２１の材質は特に限定されるものではなく、所定の方法により下地鋼材当接部２に固定されている。
この目地受用金具１Ｐ（１）では、別体の板状部材２０，２１によって形成されたパネル当接部５，６が、壁パネル１１の短辺小口縁１１ｂに当接しないように所定のギャップＧをもっている。
【００６５】
図２２は、目地受用金具１Ｑ（１）の構成例を示す図であり、（Ａ）は斜視図、（Ｂ）は側面図である。図２３（Ａ）は、目地受用金具１Ｑ（１）を用いた、壁パネルの取付構造体を室内側から見た斜視図であり、図２４（Ｂ）はその側面図である。
この目地受用金具１Ｑ（１）は、下パネル当接部６において、下パネル当接部６のうち下方部が上方部より相対的に壁パネル１１側にせり出している。また、上パネル当接部５のうち上方部が下方部より相対的に壁パネル１１側にせり出していてもよい。
【００６６】
下パネル当接部６において、下方部（図中ア）が、上方部（図中イ）より相対的に、壁パネル１１側にせり出していることで、下パネル当接部６は、板バネ様の機能を有し、より高い弾性を有するものとなる。
これにより、目地受用金具１Ｑ（１）は、壁パネル１１を下地鋼材１０に対してより弾性的に支持することが可能となる。より弾性的に支持することにより、パネルの面外方向への歪みをより効果的に吸収して、壁パネル１１をより均一に支持できる。
【００６７】
また、下パネル当接部６において、下方部（図中ア部）が、上方部（図中イ部）より相対的に、壁パネル１１側にせり出していることで、下側の壁パネル１１Ｂの短辺小口縁１１ｂと下パネル当接部６が当接することをより確実に防止することができる。
【００６８】
下パネル当接部６において、下パネル当接部６の下地鋼材１０側から、下地鋼材１０側に向けて舌片２４が突設されている。
この舌片２４は、目地受用金具１Ｑ（１）が下地鋼材１０に取り付けられたときに、舌片２４の端部が、下地鋼材１０に当接するとともに、壁パネル１１に対し略垂直に配される。舌片２４が、壁パネル１１と下地鋼材１０との間に略垂直に配されることで、壁パネル１１と下地鋼材１０との間隔の寸法を一定に保つことができる。
【００６９】
なお、上パネル当接部５において、上方部が、下方部より相対的に、壁パネル１１側にせり出していてもよい。これにより、下パネル当接部６の場合と同様に、上パネル当接部５がより高い弾性を有するものとなり、壁パネル１１をより均一に支持できるとともに、上側の壁パネル１１Ａの短辺小口縁と上パネル当接部５が当接することをより確実に防止することができる。
【００７０】
下地鋼材当接部２において、パネル側に凸となるように、縦方向の膨出部２５が、段差部３と段差部４との間に円弧状に形成されている。これにより目地受用金具１Ｑ（１）、特に下地鋼材当接部２の上下方向の剛性をより高めることができる。
【００７１】
さらに、目地受用金具１Ｑ（１）では、下地鋼材当接部２から上側の段差部３に繋がるリブ２６が設けられていてもよい。これにより、図２４に示すように上側の壁パネル１１Ａからの正圧を、上パネル当接部５が剛に強固に受けられるようになる。これにより上側壁パネルの取付金具（例えば自重受け金物１４）および溶接部が負担する正圧を小さくすることができる。
【００７２】
以上、本発明の実施の形態について説明してきたが、本発明はこれに限定されるものではなく、発明の趣旨を逸脱しない範囲で適宜変更可能である。
【００７３】
例えば、壁パネル１１からの正圧方向の力に対し壁パネル１１と下地鋼材１０との所定の間隙を小さくすることができる目地受用金具１の場合、壁パネル１１の短辺小口の角形状は、ピン角や面取りの形状および大きさについて限定されない。
また、所定のギャップＧをもって配された別体の板状部材２０，２１が取り付けられた目地受用金具１Ｐ（１）の場合、板状部材２０，２１が弾性体であれば、壁パネル１１の短辺小口縁１１ｂの角形状は、ピン角や面取りの形状および大きさについて限定されない。
【００７４】
また、板状部材２０，２１が非弾性体であれば、所定のギャップＧが、上下の壁パネル１１Ａ，１１Ｂの短辺小口縁１１ｂの間隔よりも大きければ、壁パネル１１の短辺小口縁１１ｂの角形状は、ピン角や面取りの形状および大きさについて限定されない。
また、板状部材２０，２１が非弾性体で、かつ所定のギャップＧが、上下の壁パネル１１Ａ，１１Ｂの短辺小口縁１１ｂの間隔よりも小さければ、パネル短辺小口の角形状は、短辺小口縁１１ｂをパネル奥側へずらすように形成する。
【００７５】
また、壁パネル１１と下地鋼材１０との間に所定の間隙を有する目地受用金具１の場合、所定のギャップＧが、上下の壁パネル１１Ａ，１１Ｂの短辺小口縁１１ｂの間隔よりも大きければ、パネル短辺小口の角形状は、ピン角や面取りの形状および大きさについて限定されない。
また、所定のギャップＧが、上下の壁パネル１１Ａ，１１Ｂの短辺小口縁１１ｂの間隔よりも小さければ、パネル短辺小口の角形状は、短辺小口縁１１ｂをパネル奥側へずらすように形成する。
【産業上の利用可能性】
【００７６】
本発明による目地受用金具を用いることで、壁パネルと下地鋼材との間に所定の間隔を保つとともに、外壁パネルの位置決め機能を有し、さらにパネル当接部が壁パネルと弾性的に当接することで下地鋼材の精度に依存せず、均一にパネルを支持することができるものとなり、壁パネルの目地受用金具として広く利用することができる。
【符号の説明】
【００７７】
１Ａ〜１Ｑ（１）：目地受用金具
２：下地鋼材当接部
３：段差部
４：段差部
５：上パネル当接部
６：下パネル当接部
７：下地鋼材係止部
８：貫通穴
１０：下地鋼材
１０ａ：垂直片
１０ｂ：水平片
１１：壁パネル
１１Ａ：上パネル
１１Ｂ：下パネル
１１ａ：面取り部分
１１ｂ：短辺小口縁
１２：目地
１３：梁
１３ａ：上フランジ
１４：自重受け金物    ２０，２１：板状部材
２２：舌片
２３：舌片
２４：舌片
２５：膨出部
２６：リブ
Ｇ：ギャップ
【図１】
2019120121.tif 000003
【図２】
2019120121.tif 000004
【図３】
2019120121.tif 000005
【図４】
2019120121.tif 000006
【図５】
2019120121.tif 000007
【図６】
2019120121.tif 000008
【図７】
2019120121.tif 000009
【図８】
2019120121.tif 000010
【図９】
2019120121.tif 000011
【図１０】
2019120121.tif 000012
【図１１】
2019120121.tif 000013
【図１２】
2019120121.tif 000014
【図１３】
2019120121.tif 000015
【図１４】
2019120121.tif 000016
【図１５】
2019120121.tif 000017
【図１６】
2019120121.tif 000018
【図１７】
2019120121.tif 000019
【図１８】
2019120121.tif 000020
【図１９】
2019120121.tif 000021
【図２０】
2019120121.tif 000022
【図２１】
2019120121.tif 000023
【図２２】
2019120121.tif 000024
【図２３】
2019120121.tif 000025
【図２４】
2019120121.tif 000026